【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
読出し・書込み可能な情報記憶部を作り込んだ生カードを用い、当該生カードの表面および／または裏面に画像を形成すると共に、前記情報記憶部に個別認証情報を書き込んで認証カードを作成するカード作成方法において、
前記情報記憶部に、前記生カードの処理情報を書き込む処理情報記憶工程と、
前記情報記憶部から読み出した前記処理情報に基づいて、前記画像の形成処理を行う画像形成処理工程と、
前記画像の形成後、前記情報記憶部に前記認証カードの個別認証情報を書き込む認証情報記憶工程と、を備えたことを特徴とするカード作成方法。
【請求項２】
前記画像形成処理工程は、
インク受像シートに昇華性染料インクを用いて前記画像を印刷する印刷工程と、
前記印刷工程の後、前記インク受像シートを前記生カードの表面に重ね合わせる重合工程と、
前記重合工程の後、これを加熱して前記昇華性染料インクを前記インク受像シートから前記生カードの表面に熱転写させる熱転写工程とを有することを特徴とする請求項１に記載のカード作成方法。
【請求項３】
前記処理情報は、印刷処理情報であり、
前記画像形成処理工程は、前記印刷処理情報に基づいて、前記印刷工程における印刷動作を制御することを特徴とする請求項２に記載のカード作成方法。
【請求項４】
前記印刷処理情報は、印刷動作における印刷解像度情報、前記生カードの印刷すべき面を特定する表裏印刷情報および前記生カードの前後を特定する前後印刷情報のうち、少なくとも１の情報を有することを特徴とする請求項３に記載のカード作成方法。
【請求項５】
前記処理情報は、加熱処理情報であり、
前記画像形成処理工程は、前記加熱処理情報に基づいて、前記熱転写工程における加熱動作を制御することを特徴とする請求項２に記載のカード作成方法。
【請求項６】
前記加熱処理情報は、加熱動作における加熱温度および加熱時間から成る加熱情報、および／または前記情報記憶部の加熱保護のための記憶部種別情報を有することを特徴とする請求項５に記載のカード作成方法。
【請求項７】
前記加熱情報には、温度勾配を加味した加熱温度および加熱時間が含まれていることを特徴とする請求項６に記載のカード作成方法。
【請求項８】
前記記憶部種別情報には、前記生カードにおける前記情報記憶部の位置に関する情報が含まれていることを特徴とする請求項６または７に記載のカード作成方法。
【請求項９】
前記認証情報記憶工程は、前記処理情報を前記個別認証情報に書き換えることにより、行われることを特徴とする請求項１ないし８のいずれかに記載のカード作成方法。
【請求項１０】
前記個別認証情報には、前記認証カードの作成日を含む作成情報が含まれていることを特徴とする請求項１ないし９のいずれかに記載のカード作成方法。
【請求項１１】
前記認証情報記憶工程に先立ち、前記処理情報を前記認証カードの履歴情報として記憶する履歴情報記憶工程を、更に備えたことを特徴とする請求項１ないし１０のいずれかに記載のカード作成方法。
【請求項１２】
前記画像形成処理工程に先立ち、前記情報記憶部に前記生カードの源識別情報を書き込む識別情報記憶工程を、更に備えたことを特徴とする請求項１ないし１１のいずれかに記載のカード作成方法。
【請求項１３】
前記源識別情報には、前記生カードの製造日を含む製造情報が含まれていることを特徴とする請求項１２に記載のカード作成方法。
【請求項１４】
前記情報記憶部が、独立に作り込まれた、前記処理情報を記憶する処理情報記憶部と前記個別認証情報を記憶する認証情報記憶部とを有することを特徴とする請求項１ないし１３のいずれかに記載のカード作成方法。
【請求項１５】
読出し・書込み可能な情報記憶部を作り込んだ生カードを用い、当該生カードの表面および／または裏面に画像を形成すると共に、前記情報記憶部に個別認証情報を書き込んで認証カードを作成するカード作成方法において、
前記情報記憶部に、前記生カードの源識別情報を書き込む識別情報記憶工程を、備えたことを特徴とするカード作成方法。
【請求項１６】
前記源識別情報には、前記生カードの製造日を含む製造情報が含まれていることを特徴とする請求項１５に記載のカード作成方法。
【請求項１７】
読出し・書込み可能な情報記憶部を作り込んだ生カードを用い、当該生カードの表面および／または裏面に画像を形成すると共に、前記情報記憶部に個別認証情報を書き込んで認証カードを作成するカード作成システムにおいて、
前記情報記憶部に、前記生カードの処理情報を書き込む処理情報記憶手段と、
前記処理情報記憶手段から前記処理情報を読み出す処理情報読出し手段と、
前記生カードに前記画像を形成する画像形成手段と、
前記処理情報読出し手段および前記画像形成手段を制御する画像形成制御手段と、
前記情報記憶部に、前記認証カードの個別認証情報を書き込む認証情報記憶手段と、を備え、
前記画像形成制御手段は、前記情報記憶部から読み出した前記処理情報に基づいて、前記画像形成手段による前記画像の形成処理を制御することを特徴とするカード作成システム。
【請求項１８】
前記画像形成手段は、
インク受像シートに昇華性染料インクを用いて前記画像を印刷する印刷機構と、
印刷後、前記インク受像シートを前記生カードの表面に重ね合わせる重合機構と、
重合後、これを加熱して前記昇華性染料インクを前記インク受像シートから前記生カードの表面に熱転写させる熱転写機構とを有することを特徴とする請求項１７に記載のカード作成システム。
【請求項１９】
前記処理情報は、印刷処理情報であり、
前記画像形成制御手段は、前記印刷処理情報に基づいて、前記印刷機構の印刷動作を制御することを特徴とする請求項１８に記載のカード作成システム。
【請求項２０】
前記印刷処理情報には、前記生カードの印刷すべき面を特定する表裏印刷情報が含まれ、
且つ前記画像形成手段は、前記生カードを表裏反転させるカード反転機構を有しており、
前記画像形成制御手段は、前記表裏印刷情報に基づいて、前記カード反転機構を制御することを特徴とする請求項１９に記載のカード作成システム。
【請求項２１】
前記印刷処理情報には、前記生カードの前後を特定する前後印刷情報が含まれ、
且つ前記画像形成手段は、前記生カードを前後反転させるカード回転機構を有しており、
前記画像形成制御手段は、前記前後印刷情報に基づいて、前記カード回転機構を制御することを特徴とする請求項１９または２０に記載のカード作成システム。
【請求項２２】
前記印刷処理情報には、前記生カードの前後を特定する前後印刷情報が含まれ、
且つ前記画像形成手段は、前記生カードの前記画像を前後反転させる画像回転手段を有しており、
前記画像形成制御手段は、前記前後印刷情報に基づいて、前記画像回転手段を制御することを特徴とする請求項１９または２０に記載のカード作成システム。
【請求項２３】
前記処理情報は、加熱処理情報であり、
前記画像形成制御手段は、前記加熱処理情報に基づいて、前記熱転写機構の加熱動作を制御することを特徴とする請求項１８に記載のカード作成システム。
【請求項２４】
前記加熱処理情報には、前記情報記憶部の加熱保護のための記憶部種別情報が含まれ、
且つ前記画像形成手段は、前記熱転写機構に臨み前記情報記憶部への加熱を阻止する加熱阻止機構を有しており、
前記画像形成制御手段は、前記記憶部種別情報に基づいて、前記加熱阻止機構を制御することを特徴とする請求項２３に記載のカード作成システム。
【請求項２５】
前記加熱処理情報には、前記情報記憶部の加熱保護のための記憶部種別情報が含まれ、
且つ前記熱転写機構は、前記情報記憶部の種別に応じて部分加熱可能な複数の分割ヒート部を有しており、
前記画像形成制御手段は、前記記憶部種別情報に基づいて、前記情報記憶部に対応する分割ヒート部のみをＯＦＦ制御することを特徴とする請求項２３に記載のカード作成システム。
【請求項２６】
前記処理情報を前記認証カードの履歴情報として記憶する履歴情報記憶手段を、更に備えたことを特徴とする請求項１７ないし２５のいずれかに記載のカード作成システム。
【請求項２７】
前記履歴情報記憶手段が、前記処理情報記憶手段にリンクしたパーソナルコンピュータで構成されていることを特徴とする請求項２６に記載のカード作成システム。
【請求項２８】
前記情報記憶部に前記生カードの源識別情報を書き込む識別情報記憶手段を、さらに備えたことを特徴とする請求項１７ないし２７のいずれかに記載のカード作成システム。
【請求項２９】
前記情報記憶部が、独立に作り込まれた、前記処理情報を記憶する処理情報記憶部と前記個別認証情報を記憶する認証情報記憶部とを有することを特徴とする請求項１７ないし２８のいずれかに記載のカード作成システム。
【請求項３０】
前記処理情報記憶手段、前記処理情報読出し手段、前記画像形成手段、前記画像形成制御手段および前記認証情報記憶手段のうち、少なくとも前記処理情報読出し手段、前記画像形成手段および前記画像形成制御手段が、単一の装置ケースに収容されてカード作成装置を構成していることを特徴とする請求項１７ないし２９のいずれかに記載のカード作成システム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】００１１
【補正方法】変更
【補正の内容】
【００１１】
この場合、処理情報は、印刷処理情報であり、画像形成処理工程は、印刷処理情報に基づいて、印刷工程における印刷動作を制御することが、好ましい。


【手続補正５】
【補正対象書類名】明細書
【補正対象項目名】００４１
【補正方法】削除
【補正の内容】
【手続補正６】
【補正対象書類名】明細書
【補正対象項目名】００４２
【補正方法】削除
【補正の内容】
【手続補正７】
【補正対象書類名】明細書
【補正対象項目名】００４５
【補正方法】変更
【補正の内容】
【００４５】
この場合、処理情報は、印刷処理情報であり、画像形成制御手段は、印刷処理情報に基づいて、印刷機構の印刷動作を制御することが、好ましい。